(57)【要約】【課題】種々の角度でＸ線を曝射し、患部の画像を出力するＸ線診断装置において、容易に画像の角度が推定されるようにする。【解決手段】Ｘ線発生装置１によってＸ線が曝射され、Ｘ線検出部２によってＸ線が検出され、患部の画像が出力される。さらに、指標体が特別に設けられ、指標体は一定の高さをもち、天板３から突出し、Ｘ線を受ける。したがって、Ｘ線検出部２から患部と指標体の画像が出力され、指標体の画像によってＸ線軸の角度が推定される。【選択図】図１
2010167126.tif 000002
【特許請求の範囲】
【請求項１】
被検者を載せる天板の一方側に配置され、Ｘ線を曝射するＸ線発生装置と、
前記天板の他方側に配置され、前記Ｘ線発生装置に対向し、前記Ｘ線を検出し、患部の画像を出力するＸ線検出部と、
前記Ｘ線発生装置およびＸ線検出部を保持する保持部と、
前記保持部を動作させ、Ｘ線軸の角度を変化させる動作手段と、
一定の高さをもち、前記天板から突出し、前記Ｘ線を受ける指標体とからなり、
前記Ｘ線検出部から前記患部と指標体の画像が出力され、前記指標体の画像によって前記Ｘ線軸の角度が推定されるようにしたことを特徴とするＸ線診断装置。
【請求項２】
前記指標体が前記天板に載置されていることを特徴とするＸ線診断装置。
【請求項３】
前記指標体は円錐状または角錐状のものであることを特徴とする請求項１または２に記載のＸ線診断装置。
【発明の詳細な説明】
【技術分野】
【０００１】
この発明は、Ｘ線診断装置に関するものである。
【背景技術】
【０００２】
Ｘ線診断装置では、Ｘ線発生装置が天板の一方側に配置される。さらに、Ｘ線検出部が天板の他方側に配置され、Ｘ線発生装置に対向する。天板は被検体を載せるためのものである。そして、Ｘ線発生装置によってＸ線が曝射され、Ｘ線検出部によってＸ線が検出され、患部の画像が出力される。さらに、保持部にＸ線発生装置およびＸ線検出部が保持され、動作手段によって保持部が動作し、その角度が変化し、Ｘ線軸の角度が変化する。したがって、種々の角度において、それぞれＸ線を曝射し、患部の画像を出力することができ、患部の状態を診断することができる（たとえば、特許文献１参照）。
【０００３】
ところで、特定の角度の画像によって患部の状態を診断し、患部に術式を施したとき、術式の成否を判断するには、同一の角度において、再度Ｘ線を曝射し、患部の画像を出力し、その画像を前回の画像と比較照合する必要がある。しかしながら、患部の画像がどの角度の画像であるか判断することは容易ではなく、経験および知識が要求される。このため、再度Ｘ線を曝射するとき、大幅にずれた角度でＸ線を曝射し、患部の画像を出力することがあり、この場合、患部の画像を的確に比較照合することはできない。したがって、保持部の角度の変更後、再度Ｘ線を曝射する必要があるという問題があった。被験者の被曝回数が増加するという問題もある。
【０００４】
したがって、この発明は、種々の角度でＸ線を曝射し、患部の画像を出力するＸ線診断装置において、容易に画像の角度が推定されるようにすることを目的としてなされたものである。
【先行技術文献】
【特許文献】
【０００５】
【特許文献１】特開２００４−３４４５４０号公報
【発明の概要】
【０００６】
この発明によれば、Ｘ線発生装置が天板の一方側に配置される。さらに、Ｘ線検出部が天板の他方側に配置され、Ｘ線検出部に対向する。天板は被検者を載せるためのものである。そして、Ｘ線発生装置によってＸ線が曝射され、Ｘ線検出部によってＸ線が検出され、患部の画像が出力される。さらに、保持部にＸ線発生装置およびＸ線検出部が保持され、動作手段によって保持部が動作し、Ｘ線軸の角度が変化する。
【０００７】
さらに、この発明によれば、指標体が特別に設けられる。指標体は一定の高さをもち、天板から突出し、Ｘ線を受ける。したがって、Ｘ線検出部から患部と指標体の画像が出力され、指標体の画像によってＸ線軸の角度が推定される。
【０００８】
好ましい実施例では、指標体が天板に載置される。
【０００９】
指標体は円錐状または角錐状のものであることが好ましい。
【図面の簡単な説明】
【００１０】
【図１】この発明の実施例を示す斜視図である。
【図２】Ａは図１の天板に載置される指標体の平面図、ＢはＡの指標体の斜視図である。
【図３】図２の指標体の画像を示す説明図である。
【発明を実施するための形態】
【００１１】
以下、この発明の実施例を説明する。
【００１２】
図１はこの発明にかかるＸ線診断装置を示す。この装置はＸ線発生装置１、Ｘ線検出部２および天板３を有する。天板３は被検者４を載せるためのものである。Ｘ線発生装置１はＸ線を曝射するためのもので、天板３の一方側に配置されている。Ｘ線検出部２はＸ線を検出し、患部の画像を出力するためのもので、天板３の他方側に配置されており、Ｘ線発生装置１に対向する。さらに、画像モニタなどの表示手段がＸ線検出部２に接続されており、表示手段に患部の画像が表示される。これは従来の装置と同様である。
【００１３】
さらに、保持部としてＣ型アーム５が使用され、その両端にＸ線発生装置１およびＸ線検出部２が取り付けられ、保持され、Ｃ型アーム５はスタンド６に支持されている。さらに、動作手段７がスタンド６に設けられており、動作手段７によってＣ型アーム５を動作させ、その角度を変化させ、Ｘ線軸の角度を変化させることができる。たとえば、被検者４の体軸方向に平行の水平軸のまわりにおいて、動作手段７によってＣ型アーム５を回転運動させ、その角度を変化させることができる。体軸方向に垂直の水平軸のまわりにおいて、動作手段７によってＣ型アーム５を回転運動させ、その角度を変化させることもできる。動作手段７によってＣ型アーム５を振子運動させ、その角度を変化させることもでき、Ｃ型アーム５を歳差運動させ、その角度を変化させることもできる。したがって、種々の角度において、それぞれＸ線を曝射し、患部の画像を出力することができ、患部の状態を診断することができる。さらに、体軸方向に平行の方向および垂直の方向において、動作手段７によってＣ型アーム５を水平移動させることもできる。これも従来の装置と同様である。
【００１４】
さらに、この装置では、図２に示すように、指標体８が天板３に載置される。その位置はあらかじめ選定された位置である。たとえば、被検者の頭部の横などの位置において、指標体８が天板３に載置され、患部の画像に指標体８は影響しない。さらに、指標体８は円錐状または角錐状のもので、一定の高さをもち、天板３から突出し、Ｘ線発生装置１によってＸ線が曝射されたとき、指標体８はＸ線を受ける。
【００１５】
したがって、Ｘ線検出部２から患部と指標体８の画像が出力されるが、図３に示すように、指標体８の画像９ａ，９ｂ，９ｃが出力され、表示されるとき、Ｘ線軸の角度によって画像９ａ，９ｂ，９ｃの長さおよび方向が変化する。たとえば、Ｘ線１０ａが上向きに曝射されたとき、それによって短い画像９ａが出力され、表示され、Ｘ線１０ｂが水平に曝射されたとき、それによって長い画像９ｂが出力され、表示される。さらに、Ｘ線１０ｃが斜めに曝射されたとき、それによって斜めの画像９ｃが出力され、表示される。
【００１６】
したがって、画像フレーム毎に、指標体８の画像９ａ，９ｂ，９ｃによってＸ線軸の角度を推定することができる。その角度はＣ型アーム５の角度であり、画像の角度である。指標体８の画像９ａ，９ｂ，９ｃの長さおよび方向にもとづき、後処理計算部によって画像の角度を計算することもできる。
【００１７】
したがって、たとえば、動作手段７によってＣ型アーム５を歳差運動させ、その角度を変化させ、種々の角度において、それぞれＸ線を曝射し、患部の画像を出力する。そして、特定の角度の画像によって患部の状態を診断し、患部に術式を施したとき、容易に画像の角度を推定することができる。経験および知識は要求されない。
【００１８】
したがって、その後、Ｃ型アーム５を動作させ、その角度を調整し、同一の角度において、再度Ｘ線を曝射し、患部の画像を出力し、その画像を前回の画像と比較照合し、これによって術式の成否を判断することができる。画像の角度が大幅にずれることはなく、Ｃ型アーム５の角度の変更後、再度Ｘ線を曝射する必要はない。被検者の被曝回数が増加することもない。
【００１９】
さらに、指標体８は円錐状または角錐状のものであることは前述したとおりである。したがって、指標体８の画像９ａ，９ｂ，９ｃが尖端をもつ三角形状をなし、正確に画像９ａ，９ｂ，９ｃの長さおよび方向を読み取ることができ、好ましい。
【符号の説明】
【００２０】
１  Ｘ線発生装置
２  Ｘ線検出部
３  天板
４  被検者
５  Ｃ型アーム
７  動作手段
８  指標体
９ａ，９ｂ，９ｃ  画像
１０ａ，１０ｂ，１０ｃ  Ｘ線
【図１】
2010167126.tif 000003
【図２】
2010167126.tif 000004
【図３】
2010167126.tif 000005